(57)【要約】【課題】差動配線対による磁界ノイズを抑制し、磁界ノイズによる近接部品への影響を抑制することができるプリント基板、このようなプリント基板を搭載した電子機器を提供する。【解決手段】プリント基板１は、表面１０ｓおよび裏面１０ｂを有する絶縁体層１０と、表面１０ｓに配置された表面側第１配線１１ｓによって第１信号ＳＧ１を伝送し、表面側第１配線１１ｓに対応して配置された表面側第２配線１２ｓによって第１信号ＳＧ１の反転信号である第１反転信号ＲＳＧ１を伝送する表面側差動配線対１３ｓと、裏面１０ｂで表面側第１配線１１ｓに対応して配置された裏面側第１配線１１ｂによって第２信号ＳＧ２を伝送し、裏面側第１配線１１ｂに対応して配置された裏面側第２配線１２ｂによって第２信号ＳＧ２の反転信号である第２反転信号ＲＳＧ２を伝送する裏面側差動配線対１３ｂを備え、第１信号ＳＧ１の電流と、第２信号ＳＧ２の電流とは、互いに逆方向に流れる。【選択図】図１
2010098240.tif 000002
【特許請求の範囲】
【請求項１】
表面および裏面を有する絶縁体層と、前記表面に配置された表面側第１配線によって第１信号を伝送し、前記表面で前記表面側第１配線に対応して配置された表面側第２配線によって前記第１信号の反転信号である第１反転信号を伝送する表面側差動配線対とを備えるプリント基板であって、
前記裏面で前記表面側第１配線に対応して配置された裏面側第１配線によって第２信号を伝送し、前記裏面で前記裏面側第１配線に対応して配置された裏面側第２配線によって前記第２信号の反転信号である第２反転信号を伝送する裏面側差動配線対を備え、
前記第１信号の電流と、前記第２信号の電流とは、互いに逆方向に流れる構成としてあること
を特徴とするプリント基板。
【請求項２】
請求項１に記載のプリント基板であって、
前記表面側差動配線対によって構成される表面側ループアンテナ面積と、前記裏面側差動配線対によって構成される裏面側ループアンテナ面積とは、等しくしてあること
を特徴とするプリント基板。
【請求項３】
請求項２に記載のプリント基板であって、
前記表面側差動配線対と前記裏面側差動配線対とは、相互に重畳させてあること
を特徴とするプリント基板。
【請求項４】
請求項１ないし請求項３のいずれか一つに記載のプリント基板であって、
前記表面側第１配線の端子である表面第１出力端子に接続されて前記表面側第１配線へ前記第１信号を出力し、前記表面側第２配線の端子である表面第２出力端子に接続されて前記表面側第２配線へ前記第１反転信号を出力する表面側差動伝送ドライバ回路と、
前記表面側第１配線の端子である表面第１入力端子に接続されて前記表面側第１配線から前記第１信号を入力し、前記表面側第２配線の端子である表面第２入力端子に接続されて前記表面側第２配線から前記第１反転信号を入力する表面側差動伝送レシーバ回路と、
前記裏面側第１配線の端子である裏面第１出力端子に接続されて前記裏面側第１配線へ前記第２信号を出力し、前記裏面側第２配線の端子である裏面第２出力端子に接続されて前記裏面側第２配線へ前記第２反転信号を出力する裏面側差動伝送ドライバ回路と、
前記裏面側第１配線の端子である裏面第１入力端子に接続されて前記裏面側第１配線から前記第２信号を入力し、前記裏面側第２配線の端子である裏面第２入力端子に接続されて前記裏面側第２配線から前記第２反転信号を入力する裏面側差動伝送レシーバ回路とを備えること
を特徴とするプリント基板。
【請求項５】
請求項４に記載のプリント基板であって、
前記表面側差動伝送ドライバ回路、前記表面側差動伝送レシーバ回路、前記裏面側差動伝送ドライバ回路、および、前記裏面側差動伝送レシーバ回路の内の少なくとも一つは、接続部材を介して接続された他のプリント基板に配置されていること
を特徴とするプリント基板。
【請求項６】
請求項１ないし請求項３のいずれか一つに記載のプリント基板であって、
前記表面側第１配線は、前記絶縁体層に形成された第１スルーホールを介して前記裏面側第１配線に接続され、
前記表面側第２配線は、前記絶縁体層に形成された第２スルーホールを介して前記裏面側第２配線に接続されていること
を特徴とするプリント基板。
【請求項７】
請求項６に記載のプリント基板であって、
前記表面側第１配線の端子である表面第１出力端子に接続されて前記表面側第１配線へ前記第１信号を出力し、前記表面側第２配線の端子である表面第２出力端子に接続されて前記表面側第２配線へ前記第１反転信号を出力する表面側差動伝送ドライバ回路と、
前記裏面側第１配線の端子である裏面第１入力端子に接続されて前記裏面側第１配線から前記第１信号を逆方向にした前記第２信号を入力し、前記裏面側第２配線の端子である裏面第２入力端子に接続されて前記裏面側第２配線から前記第１反転信号を逆方向にした前記第２反転信号を入力する裏面側差動伝送レシーバ回路とを備えること
を特徴とするプリント基板。
【請求項８】
請求項７に記載のプリント基板であって、
前記表面側差動伝送ドライバ回路、および前記裏面側差動伝送レシーバ回路の内の少なくとも一つは、接続部材を介して接続された他のプリント基板に配置されていること
を特徴とするプリント基板。
【請求項９】
請求項１ないし請求項８のいずれか一つに記載のプリント基板であって、
前記表面側差動配線対を流れる電流の大きさと、前記裏面側差動配線対を流れる電流の大きさとは、等しくしてあること
を特徴とするプリント基板。
【請求項１０】
アンテナ部品と、該アンテナ部品に近接して配置されたプリント基板とを備える電子機器であって、
前記プリント基板は、請求項１ないし請求項９のいずれか一つに記載のプリント基板であることを特徴とする電子機器。
【発明の詳細な説明】
【技術分野】
【０００１】
本発明は、絶縁体層の表面に配置された表面側第１配線によって第１信号を伝送し、表面側第１配線に対応して配置された表面側第２配線によって第１信号の反転信号を伝送する表面側差動配線対を備えるプリント基板、およびこのようなプリント基板を搭載した電子機器に関する。
【背景技術】
【０００２】
高速信号を伝送し、ノイズを低減させる方式として２本の配線を並置して構成した差動配線対によって差動信号を伝送する差動信号方式が提案されている。差動信号方式は、一方の配線によって正信号（プラス信号）を伝送するときは、正信号を反転させた反転信号（マイナス信号）を他方の配線によって伝送する構成とされている。
【０００３】
したがって、差動配線対を近接させて配置し、正信号と反転信号の電磁気的な結合を強くすることにより、正信号と反転信号の経路によって構成されるループ面積を小さくすることが可能となり、シングルエンド伝送方式と比較して、磁界ノイズを減らすことができる。
【０００４】
差動配線対を近接させればさせるほど磁界ノイズ低減効果が大きいことから、通常は差動配線対の間隔はできる限り小さくなるように設計している。また、差動配線対の配置については、差動配線対に対して、接地用配線や電源用配線の物理的な配置を考慮することにより、クロストークなどのノイズを抑制すると共に、インピーダンスを所定の範囲に制御している（例えば、特許文献１参照。）。
【０００５】
差動配線対を備えたプリント基板の従来例を図８、図９に基づいて説明する。
【０００６】
図８は、従来例１に係るプリント基板での差動配線対を説明する説明図であり、（Ａ）は差動配線対を見た状態を示す平面図、（Ｂ）は差動配線対によるループアンテナの発生状態を説明する平面図である。
【０００７】
従来例１に係るプリント基板１０１は、絶縁体層１１０の表面１１０ｓに、第１配線１１１ｓおよび第２配線１１２ｓを備え、伝送経路を構成する第１配線１１１ｓおよび第２配線１１２ｓによって、差動配線対１１３ｓを構成している。また、プリント基板１０１は、絶縁体層１１０の表面１１０ｓに、差動伝送ドライバ回路１２１ｓｄ、差動伝送レシーバ回路１２１ｓｒを備えている。
【０００８】
差動伝送ドライバ回路１２１ｓｄは、第１配線１１１ｓの一方の端子である第１出力端子１１１ｓｄ、第２配線１１２ｓの一方の端子である第２出力端子１１２ｓｄに接続されている。また、差動伝送レシーバ回路１２１ｓｒは、第１配線１１１ｓの他方の端子である第１入力端子１１１ｓｒ、第２配線１１２ｓの他方の端子である第２入力端子１１２ｓｒに接続されている。
【０００９】
差動伝送ドライバ回路１２１ｓｄ（第１出力端子１１１ｓｄ）から第１配線１１１ｓを介して差動伝送レシーバ回路１２１ｓｒ（第１入力端子１１１ｓｒ）へ例えば正信号である第１信号ＳＧ１が伝送され、また、差動伝送ドライバ回路１２１ｓｄ（第２出力端子１１２ｓｄ）から第２配線１１２ｓを介して差動伝送レシーバ回路１２１ｓｒ（第２入力端子１１２ｓｒ）へ第１信号ＳＧ１の反転信号である第２信号ＳＧ２が伝送される。
【００１０】
つまり、第１出力端子１１１ｓｄ→第１配線１１１ｓ→第１入力端子１１１ｓｒ→第２入力端子１１２ｓｒ→第２配線１１２ｓ→第２出力端子１１２ｓｄの経路で差動配線対１１３ｓによる表面側ループアンテナＬＡｓが構成され、磁界ノイズが生じる。
【００１１】
このとき、第１配線１１１ｓと第２配線１１２ｓとの間隔が大きく設定されると、第１信号ＳＧ１と第２信号ＳＧ２との電磁気的な結合が弱くなり、また、差動配線対１１３ｓ（表面側ループアンテナＬＡｓ）が構成する表面側ループアンテナ面積ＬＳｓが大きくなることから、磁界ノイズが大きくなるという問題が生じる。
【００１２】
図９は、従来例２に係るプリント基板での差動配線対を見た状態を示す平面図である。
【００１３】
基本的な構成は、従来例１と同様であるので主に異なる事項について説明する。
【００１４】
従来例２に係るプリント基板１０１では、差動伝送ドライバ回路１２１ｓｄの近傍、つまり、第１出力端子１１１ｓｄおよび第２出力端子１１２ｓｄの近傍で、第１配線１１１ｓと第２配線１１２ｓとの間隔が大きくなっている。つまり、差動配線対１１３ｓ（表面側ループアンテナＬＡｓ）が構成する表面側ループアンテナ面積ＬＳｓが大きくなり、磁界ノイズが大きくなるという問題が生じる。
【００１５】
差動伝送ドライバ回路１２１ｓｄ、差動伝送レシーバ回路１２１ｓｒは、集積回路で構成されることから、他の多数の端子が並置される。集積回路の端子配置は、機能、コストなどを総合的に判断して決定されることから、差動配線対１１３ｓの配置を優先して配置することは困難な場合があり、従来例２のような問題が生じることがある。
【００１６】
従来例１、従来例２での問題に加えて、近年の電子機器の小型化及び薄型化に伴い、プリント基板に近接して他の部品（アンテナ部品など）が配置される場合が増加しており、プリント基板の差動配線対１１３ｓに起因する磁界ノイズが他の部品（アンテナ部品など）に悪影響を及ぼす場合があるという問題が生じている。
【特許文献１】特開２００１−７４５８号公報
【発明の開示】
【発明が解決しようとする課題】
【００１７】
本発明はこのような状況に鑑みてなされたものであり、絶縁体層の表面に配置された表面側第１配線によって第１信号を伝送し、表面側第１配線に対応して配置された表面側第２配線によって第１信号の反転信号である第１反転信号を伝送する表面側差動配線対を備えるプリント基板であって、裏面で表面側第１配線に対応して配置された裏面側第１配線によって第２信号を伝送し、裏面側第１配線に対応して配置された裏面側第２配線によって第２信号の反転信号である第２反転信号を伝送する裏面側差動配線対を備え、第１信号の電流と、第２信号の電流とを、互いに逆方向に流れる構成とすることにより、表面側差動配線対によって構成される表面側ループアンテナに起因する磁界ノイズと、裏面側差動配線対によって構成される裏面側ループアンテナに起因する磁界ノイズとを、相互に逆方向に発生させて相互に相殺させ、差動配線対（表面側差動配線対および裏面側差動配線対）による磁界ノイズを抑制し、磁界ノイズによる近接部品への影響を抑制することができるプリント基板を提供することを目的とする。
【００１８】
また、本発明は、アンテナ部品と、アンテナ部品に近接して配置されたプリント基板とを備える電子機器であって、プリント基板を本発明に係るプリント基板とすることにより、差動配線対が構成するループアンテナによって生じる磁界ノイズを抑制して、プリント基板に近接して配置されたアンテナ部品への磁界ノイズの影響を低減し、送受信機能を向上させた通信信頼性の高い電子機器を提供することを他の目的とする。
【課題を解決するための手段】
【００１９】
本発明に係るプリント基板は、表面および裏面を有する絶縁体層と、前記表面に配置された表面側第１配線によって第１信号を伝送し、前記表面で前記表面側第１配線に対応して配置された表面側第２配線によって前記第１信号の反転信号である第１反転信号を伝送する表面側差動配線対とを備えるプリント基板であって、前記裏面で前記表面側第１配線に対応して配置された裏面側第１配線によって第２信号を伝送し、前記裏面で前記裏面側第１配線に対応して配置された裏面側第２配線によって前記第２信号の反転信号である第２反転信号を伝送する裏面側差動配線対を備え、前記第１信号の電流と、前記第２信号の電流とは、互いに逆方向に流れる構成としてあることを特徴とする。
【００２０】
この構成により、表面側差動配線対によって構成される表面側ループアンテナに起因する磁界ノイズと、裏面側差動配線対によって構成される裏面側ループアンテナに起因する磁界ノイズとは、相互に逆方向を向くことから、相互に打ち消しあうことが可能となるので、表面側差動配線対および裏面側差動配線対による磁界ノイズを抑制し、磁界ノイズによる近接部品への影響を抑制することができる。
【００２１】
また、本発明に係るプリント基板では、前記表面側差動配線対によって構成される表面側ループアンテナ面積と、前記裏面側差動配線対によって構成される裏面側ループアンテナ面積とは、等しくしてあることを特徴とする。
【００２２】
この構成により、表面側ループアンテナに起因する磁界ノイズと、裏面側ループアンテナに起因する磁界ノイズとは、逆方向で大きさを等しくすることが可能となるので、表面側差動配線対および裏面側差動配線対による磁界ノイズを確実に抑制することができる。
【００２３】
また、本発明に係るプリント基板では、前記表面側差動配線対と前記裏面側差動配線対とは、相互に重畳させてあることを特徴とする。
【００２４】
この構成により、表面側ループアンテナ面積と、裏面側ループアンテナ面積とを確実かつ高精度に等しくすることが可能となり、また、表面側ループアンテナに起因する磁界ノイズと裏面側ループアンテナに起因する磁界ノイズとを相互に逆方向で重畳させることが可能となることから、磁界ノイズを相互に相殺させて全体としての磁界ノイズを確実に抑制することができる。
【００２５】
また、本発明に係るプリント基板では、前記表面側第１配線の端子である表面第１出力端子に接続されて前記表面側第１配線へ前記第１信号を出力し、前記表面側第２配線の端子である表面第２出力端子に接続されて前記表面側第２配線へ前記第１反転信号を出力する表面側差動伝送ドライバ回路と、前記表面側第１配線の端子である表面第１入力端子に接続されて前記表面側第１配線から前記第１信号を入力し、前記表面側第２配線の端子である表面第２入力端子に接続されて前記表面側第２配線から前記第１反転信号を入力する表面側差動伝送レシーバ回路と、前記裏面側第１配線の端子である裏面第１出力端子に接続されて前記裏面側第１配線へ前記第２信号を出力し、前記裏面側第２配線の端子である裏面第２出力端子に接続されて前記裏面側第２配線へ前記第２反転信号を出力する裏面側差動伝送ドライバ回路と、前記裏面側第１配線の端子である裏面第１入力端子に接続されて前記裏面側第１配線から前記第２信号を入力し、前記裏面側第２配線の端子である裏面第２入力端子に接続されて前記裏面側第２配線から前記第２反転信号を入力する裏面側差動伝送レシーバ回路とを備えることを特徴とする。
【００２６】
この構成により、表面側差動伝送ドライバ回路、表面側差動伝送レシーバ回路、裏面側差動伝送ドライバ回路、および裏面側差動伝送レシーバ回路の４つの回路を適用して、表面側差動配線対および裏面側差動配線対によって伝送される第１信号、第１反転信号、第２信号、第２反転信号を確実に出力／入力することから、表面側差動配線対および裏面側差動配線対を容易かつ高精度に機能させることができるので、磁界ノイズによる近接部品への影響を抑制したプリント基板とすることができる。
【００２７】
また、本発明に係るプリント基板では、前記表面側差動伝送ドライバ回路、前記表面側差動伝送レシーバ回路、前記裏面側差動伝送ドライバ回路、および、前記裏面側差動伝送レシーバ回路の内の少なくとも一つは、接続部材を介して接続された他のプリント基板に配置されていることを特徴とする。
【００２８】
この構成により、表面側差動伝送ドライバ回路、表面側差動伝送レシーバ回路、裏面側差動伝送ドライバ回路、および裏面側差動伝送レシーバ回路の４つの回路を配置した場合と同様の機能を発揮させることが可能となる。
【００２９】
また、本発明に係るプリント基板では、前記表面側第１配線は、前記絶縁体層に形成された第１スルーホールを介して前記裏面側第１配線に接続され、前記表面側第２配線は、前記絶縁体層に形成された第２スルーホールを介して前記裏面側第２配線に接続されていることを特徴とする。
【００３０】
この構成により、第１スルーホールを介して接続された表面側第１配線および裏面側第１配線によって第１信号および第２信号を伝送し、第２スルーホールを介して接続された表面側第２配線および裏面側第２配線によって第１反転信号および第２反転信号を伝送することから、表面側第１配線および表面側第２配線によって表面側差動配線対を構成し、裏面側第１配線および裏面側第２配線によって裏面側差動配線対を構成することが可能となり、表面側差動配線対によって構成される表面側ループアンテナに起因する磁界ノイズと、裏面側差動配線対によって構成される裏面側ループアンテナに起因する磁界ノイズとは、相互に逆方向を向かせることが可能となるので、表面側差動配線対および裏面側差動配線対による磁界ノイズを抑制し、磁界ノイズによる近接部品への影響を抑制することができる。
【００３１】
また、本発明に係るプリント基板では、前記表面側第１配線の端子である表面第１出力端子に接続されて前記表面側第１配線へ前記第１信号を出力し、前記表面側第２配線の端子である表面第２出力端子に接続されて前記表面側第２配線へ前記第１反転信号を出力する表面側差動伝送ドライバ回路と、前記裏面側第１配線の端子である裏面第１入力端子に接続されて前記裏面側第１配線から前記第１信号を逆方向にした前記第２信号を入力し、前記裏面側第２配線の端子である裏面第２入力端子に接続されて前記裏面側第２配線から前記第１反転信号を逆方向にした前記第２反転信号を入力する裏面側差動伝送レシーバ回路とを備えることを特徴とする。
【００３２】
この構成により、表面側差動伝送ドライバ回路および裏面側差動伝送レシーバ回路の２つの回路を適用して、表面側差動配線対および裏面側差動配線対によって伝送される第１信号、第１反転信号、第１信号と同じ大きさで逆方向に流れる第２信号、第１反転信号Ｒと同じ大きさで逆方向に流れる第２反転信号を確実に出力／入力することから、表面側差動配線対および裏面側差動配線対を容易かつ高精度に機能させることができるので、磁界ノイズによる近接部品への影響を抑制したプリント基板とすることができる。
【００３３】
また、本発明に係るプリント基板では、前記表面側差動伝送ドライバ回路、および前記裏面側差動伝送レシーバ回路の内の少なくとも一つは、接続部材を介して接続された他のプリント基板に配置されていることを特徴とする。
【００３４】
この構成により、表面側差動伝送ドライバ回路および裏面側差動伝送レシーバ回路の２つの回路を配置した場合と同様の機能を発揮させることが可能となる。
【００３５】
また、本発明に係るプリント基板では、前記表面側差動配線対を流れる電流の大きさと、前記裏面側差動配線対を流れる電流の大きさとは、等しくしてあることを特徴とする。
【００３６】
この構成により、表面側ループアンテナに起因する磁界ノイズと、裏面側ループアンテナに起因する磁界ノイズとを、等しい大きさにすることが可能となることから、表面側差動配線対および裏面側差動配線対による磁界ノイズを容易かつ高精度に抑制することができる。
【００３７】
また、本発明に係る電子機器は、アンテナ部品と、該アンテナ部品に近接して配置されたプリント基板とを備える電子機器であって、前記プリント基板は、本発明に係るプリント基板であることを特徴とする。
【００３８】
この構成により、差動配線対が構成するループアンテナによって生じる磁界ノイズを抑制できることから、プリント基板に近接して配置されたアンテナ部品への磁界ノイズの影響を低減することが可能となり、送受信機能の優れた通信信頼性の高い電子機器とすることができる。
【発明の効果】
【００３９】
本発明に係るプリント基板によれば、表面および裏面を有する絶縁体層と、表面に配置された表面側第１配線によって第１信号を伝送し、表面で表面側第１配線に対応して配置された表面側第２配線によって第１信号の反転信号である第１反転信号を伝送する表面側差動配線対とを備えるプリント基板であって、裏面で表面側第１配線に対応して配置された裏面側第１配線によって第２信号を伝送し、裏面で裏面側第１配線に対応して配置された裏面側第２配線によって第２信号の反転信号である第２反転信号を伝送する裏面側差動配線対を備え、第１信号の電流と、第２信号の電流とは、互いに逆方向に流れる構成としてあることから、表面側差動配線対によって構成される表面側ループアンテナに起因する磁界ノイズと、裏面側差動配線対によって構成される裏面側ループアンテナに起因する磁界ノイズとは、相互に逆方向を向くこととなり、相互に打ち消しあうことが可能となるので、表面側差動配線対および裏面側差動配線対による磁界ノイズを抑制し、磁界ノイズによる近接部品への影響を抑制することができるという効果を奏する。
【００４０】
また、本発明に係る電子機器によれば、アンテナ部品と、アンテナ部品に近接して配置されたプリント基板とを備える電子機器であって、プリント基板は、本発明に係るプリント基板であることから、差動配線対が構成するループアンテナによって生じる磁界ノイズを抑制でき、プリント基板に近接して配置されたアンテナ部品への磁界ノイズの影響を低減することが可能となるので、送受信機能の優れた通信信頼性の高い電子機器とすることができる。
【発明を実施するための最良の形態】
【００４１】
以下、本発明の実施の形態を図面に基づいて説明する。
【００４２】
＜実施の形態１＞
図１に基づいて、本実施の形態に係るプリント基板について説明する。
【００４３】
図１は、本発明の実施の形態１に係るプリント基板を説明する説明図であり、（Ａ）は表面側を見た状態を示す平面図、（Ｂ）は表面側から裏面側を透視的に見た状態を示す平面図、（Ｃ）は（Ａ）（Ｂ）の矢符Ｃ−Ｃでの断面の要部端面を拡大して示す拡大端面図である。
【００４４】
本実施の形態に係るプリント基板１は、絶縁体層１０の表面１０ｓに、表面側差動伝送ドライバ回路２１ｓｄ、表面側差動伝送レシーバ回路２１ｓｒを備え、表面側差動伝送ドライバ回路２１ｓｄと表面側差動伝送レシーバ回路２１ｓｒとを接続して伝送経路（表面側差動配線対１３ｓ）を構成する表面側第１配線１１ｓ、表面側第２配線１２ｓを備える。
【００４５】
また、絶縁体層１０の裏面１０ｂに、裏面側差動伝送ドライバ回路２１ｂｄ、裏面側差動伝送レシーバ回路２１ｂｒを備え、裏面側差動伝送ドライバ回路２１ｂｄと裏面側差動伝送レシーバ回路２１ｂｒとを接続して伝送経路（裏面側差動配線対１３ｂ）を構成する裏面側第１配線１１ｂ、裏面側第２配線１２ｂを備える。
【００４６】
なお、表面側差動伝送ドライバ回路２１ｓｄ、表面側差動伝送レシーバ回路２１ｓｒ、裏面側差動伝送ドライバ回路２１ｂｄ、裏面側差動伝送レシーバ回路２１ｂｒは、集積回路（ＩＣ）で構成されている。
【００４７】
表面側差動伝送ドライバ回路２１ｓｄは、表面側第１配線１１ｓの一方の端子である表面第１出力端子１１ｓｄ、表面側第２配線１２ｓの一方の端子である表面第２出力端子１２ｓｄに接続されている。
【００４８】
表面側差動伝送レシーバ回路２１ｓｒは、表面側第１配線１１ｓの他方の端子である表面第１入力端子１１ｓｒ、表面側第２配線１２ｓの他方の端子である表面第２入力端子１２ｓｒに接続されている。
【００４９】
裏面側差動伝送ドライバ回路２１ｂｄは、裏面側第１配線１１ｂの一方の端子である裏面第１出力端子１１ｂｄ、裏面側第２配線１２ｂの一方の端子である裏面第２出力端子１２ｂｄに接続されている。
【００５０】
裏面側差動伝送レシーバ回路２１ｂｒは、裏面側第１配線１１ｂの他方の端子である裏面第１入力端子１１ｂｒ、裏面側第２配線１２ｂの他方の端子である裏面第２入力端子１２ｂｒに接続されている。
【００５１】
裏面側差動伝送ドライバ回路２１ｂｄは、表面側差動伝送レシーバ回路２１ｓｒに対応させて配置され、裏面側差動伝送レシーバ回路２１ｂｒは、表面第１出力端子１１ｓｄに対応させて配置されている。
【００５２】
また、表面側差動伝送ドライバ回路２１ｓｄ、表面側差動伝送レシーバ回路２１ｓｒ、裏面側差動伝送ドライバ回路２１ｂｄ、および裏面側差動伝送レシーバ回路２１ｂｒは、表面第１出力端子１１ｓｄ、表面第２出力端子１２ｓｄ、表面第１入力端子１１ｓｒ、表面第２入力端子１２ｓｒ、裏面第１出力端子１１ｂｄ、裏面第２出力端子１２ｂｄ、裏面第１入力端子１１ｂｒ、および裏面第２入力端子１２ｂｒに対応する端子の他に多数の端子を備えるが、本発明に対して直接の関係はないことから説明は省略する。
【００５３】
プリント基板１は、表面１０ｓおよび裏面１０ｂを有する絶縁体層１０と、表面１０ｓに配置された表面側第１配線１１ｓによって第１信号ＳＧ１を伝送し、表面１０ｓで表面側第１配線１１ｓに対応して配置された表面側第２配線１２ｓによって第１信号ＳＧ１の反転信号である第１反転信号ＲＳＧ１を伝送する表面側差動配線対１３ｓとを備える。なお、反転信号とは、極性を反転させた逆位相の信号をいう。
【００５４】
また、プリント基板１は、裏面１０ｂで表面側第１配線１１ｓに対応して配置された裏面側第１配線１１ｂによって第２信号ＳＧ２を伝送し、裏面で裏面側第１配線１１ｂに対応して配置された裏面側第２配線１２ｂによって第２信号ＳＧ２の反転信号である第２反転信号ＲＳＧ２を伝送する裏面側差動配線対１３ｂを備え、第１信号ＳＧ１の電流と、第２信号ＳＧ２の電流とは、互いに逆方向に流れる構成としてある。
【００５５】
したがって、表面側差動配線対１３ｓによって構成される表面側ループアンテナＬＡｓに起因する磁界ノイズと、裏面側差動配線対１３ｂによって構成される裏面側ループアンテナＬＡｂに起因する磁界ノイズとは、相互に逆方向を向くことから、相互に打ち消しあうことが可能となるので、差動配線対（表面側差動配線対１３ｓおよび裏面側差動配線対１３ｂ）による磁界ノイズを抑制し、磁界ノイズによる近接部品への影響を抑制することができる。
【００５６】
具体的には、表面側第１配線１１ｓで表面第１出力端子１１ｓｄから表面第１入力端子１１ｓｒへ第１信号ＳＧ１が流れ、表面側第２配線１２ｓで表面第２出力端子１２ｓｄから表面第２入力端子１２ｓｒへ第１反転信号ＲＳＧ１が流れた場合、表面第１出力端子１１ｓｄ→表面側第１配線１１ｓ→表面第１入力端子１１ｓｒ→表面第２入力端子１２ｓｒ→表面側第２配線１２ｓ→表面第２出力端子１２ｓｄの経路で表面側差動配線対１３ｓによる表面側ループアンテナＬＡｓが構成され、磁界ノイズが生じる。
【００５７】
また、裏面側第１配線１１ｂで裏面第１出力端子１１ｂｄから裏面第１入力端子１１ｂｒへ第２信号ＳＧ２が流れ、裏面側第２配線１２ｂで裏面第２出力端子１２ｂｄから裏面第２入力端子１２ｂｒへ第２反転信号ＲＳＧ２が流れた場合、裏面第１出力端子１１ｂｄ→裏面側第１配線１１ｂ→裏面第１入力端子１１ｂｒ→裏面第２入力端子１２ｂｒ→裏面側第２配線１２ｂ→裏面第２出力端子１２ｂｄの経路で裏面側差動配線対１３ｂによる裏面側ループアンテナＬＡｂが構成され、磁界ノイズが生じる。
【００５８】
しかし、本実施の形態では、表面側差動配線対１３ｓに流れる電流である第１信号ＳＧ１（例えば、正信号（プラス信号））、第１反転信号ＲＳＧ１（例えば、正信号の反転信号（マイナス信号））に対して、裏面側差動配線対１３ｂに流れる電流である第２信号ＳＧ２、第２反転信号ＲＳＧ２は、それぞれ第１信号ＳＧ１、第１反転信号ＲＳＧ１に対して逆方向に流れる構成としてある。
【００５９】
つまり、第２信号ＳＧ２は、例えば、第１信号ＳＧ１と逆方向に流れる正信号、第２反転信号ＲＳＧ２は、例えば、第１反転信号ＲＳＧ１と逆方向に流れる反転信号（負信号）としてある。
【００６０】
したがって、表面側ループアンテナＬＡｓに起因して表面１０ｓで生じる磁界ノイズと、裏面側ループアンテナＬＡｂに起因して裏面１０ｂで生じる磁界ノイズとは、逆向きになることから、相互に打ち消しあうこととなる。
【００６１】
表面側差動配線対１３ｓと裏面側差動配線対１３ｂとは、相互に重畳させてある。したがって、表面側ループアンテナ面積ＬＳｓ（詳細は図２参照）と、裏面側ループアンテナ面積ＬＳｂ（詳細は図２参照）とを確実かつ高精度に等しくすることが可能となり、また、表面側ループアンテナＬＡｓに起因する磁界ノイズと裏面側ループアンテナＬＡｂに起因する磁界ノイズとを相互に逆方向で重畳させることが可能となることから、磁界ノイズを相互に相殺させて全体としての磁界ノイズを確実に抑制することができる。
【００６２】
ループアンテナに起因する磁界ノイズは、ループアンテナに流れる電流に比例する。したがって、表面側差動配線対１３ｓを流れる電流の大きさと、裏面側差動配線対１３ｂを流れる電流の大きさとは、等しくしてある。つまり、表面側ループアンテナＬＡｓに起因する磁界ノイズと、裏面側ループアンテナＬＡｂに起因する磁界ノイズとを、等しい大きさにすることが可能となることから、表面側差動配線対１３ｓおよび裏面側差動配線対１３ｂによる磁界ノイズを容易かつ高精度に抑制することができる。
【００６３】
表面側差動伝送ドライバ回路２１ｓｄは、表面側第１配線１１ｓの端子である表面第１出力端子１１ｓｄに接続されて表面側第１配線１１ｓへ第１信号ＳＧ１を出力し、表面側第２配線１２ｓの端子である表面第２出力端子１２ｓｄに接続されて表面側第２配線１２ｓへ第１反転信号ＲＳＧ１を出力する。
【００６４】
表面側差動伝送レシーバ回路２１ｓｒは、表面側第１配線１１ｓの端子である表面第１入力端子１１ｓｒに接続されて表面側第１配線１１ｓから第１信号ＳＧ１を入力し、表面側第２配線１２ｓの端子である表面第２入力端子１２ｓｒに接続されて表面側第２配線１２ｓから第１反転信号ＲＳＧ１を入力する。
【００６５】
裏面側差動伝送ドライバ回路２１ｂｄは、裏面側第１配線１１ｂの端子である裏面第１出力端子１１ｂｄに接続されて裏面側第１配線１１ｂへ第２信号ＳＧ２を出力し、裏面側第２配線１２ｂの端子である裏面第２出力端子１２ｂｄに接続されて裏面側第２配線１２ｂへ第２反転信号ＲＳＧ２を出力する。
【００６６】
裏面側差動伝送レシーバ回路２１ｂｒは、裏面側第１配線１１ｂの端子である裏面第１入力端子１１ｂｒに接続されて裏面側第１配線１１ｂから第２信号ＳＧ２を入力し、裏面側第２配線１２ｂの端子である裏面第２入力端子１２ｂｒに接続されて裏面側第２配線１２ｂから第２反転信号ＲＳＧ２を入力する。
【００６７】
上述したとおり、プリント基板１は、表面側差動伝送ドライバ回路２１ｓｄ、表面側差動伝送レシーバ回路２１ｓｒ、裏面側差動伝送ドライバ回路２１ｂｄ、裏面側差動伝送レシーバ回路２１ｂｒを備える。
【００６８】
したがって、表面側差動伝送ドライバ回路２１ｓｄ、表面側差動伝送レシーバ回路２１ｓｒ、裏面側差動伝送ドライバ回路２１ｂｄ、および裏面側差動伝送レシーバ回路２１ｂｒの４つの回路を適用して、表面側差動配線対１３ｓおよび裏面側差動配線対１３ｂによって伝送される第１信号ＳＧ１、第１反転信号ＲＳＧ１、第２信号ＳＧ２、第２反転信号ＲＳＧ２を確実に出力／入力することから、表面側差動配線対１３ｓおよび裏面側差動配線対１３ｂを容易かつ高精度に機能させることができるので、磁界ノイズによる近接部品への影響を抑制したプリント基板１とすることができる。
【００６９】
＜実施の形態２＞
図２に基づいて、本実施の形態に係るプリント基板について説明する。なお、基本的な構成は、実施の形態１に記載したプリント基板１の場合と同様であるので、主に異なる事項について説明する。
【００７０】
図２は、本発明の実施の形態２に係るプリント基板を説明する説明図であり、（Ａ）は表面側を見た状態を示す平面図、（Ｂ）は表面側から裏面側を透視的に見た状態を示す平面図、（Ｃ）は（Ａ）で示した表面側ループアンテナが構成する表面側ループアンテナ面積を概念的に示す平面図、（Ｄ）は（Ｂ）で示した裏面側ループアンテナが構成する裏面側ループアンテナ面積を概念的に示す平面図である。
【００７１】
実施の形態１では、表面側第１配線１１ｓ、表面側第２配線１２ｓ、裏面側第１配線１１ｂ、裏面側第２配線１２ｂは、直線状に配置されていた。しかし、表面側差動伝送ドライバ回路２１ｓｄ、表面側差動伝送レシーバ回路２１ｓｒ、裏面側差動伝送ドライバ回路２１ｂｄ、裏面側差動伝送レシーバ回路２１ｂｒの各端子の配置によって、表面側第１配線１１ｓ、表面側第２配線１２ｓ、裏面側第１配線１１ｂ、裏面側第２配線１２ｂを直線状に配置することが困難な場合が生じる。
【００７２】
例えば、本実施の形態に係るプリント基板１では、表面側第１配線１１ｓ、表面側第２配線１２ｓは、表面側差動伝送ドライバ回路２１ｓｄの他の端子の配置の影響を受けて、他の端子を迂回した状態とされている。つまり、表面側第１配線１１ｓと表面側第２配線１２ｓとの間隔が表面側差動伝送ドライバ回路２１ｓｄの側で大きくなっている。
【００７３】
ループアンテナに起因する磁界ノイズは、ループアンテナの大きさであるループアンテナ面積に比例する。したがって、表面側ループアンテナＬＡｓの表面側ループアンテナ面積ＬＳｓと、裏面側ループアンテナＬＡｂの裏面側ループアンテナ面積ＬＳｂとは、等しくする必要がある。
【００７４】
本実施の形態では、裏面側第１配線１１ｂと裏面側第２配線１２ｂとの間隔を表面側差動伝送ドライバ回路２１ｓｄに対応する裏面側差動伝送レシーバ回路２１ｂｒの側で大きくし、表面側ループアンテナＬＡｓに起因する磁界ノイズと裏面側ループアンテナＬＡｂに起因する磁界ノイズとを揃える構成としてある。
【００７５】
つまり、プリント基板１では、表面側差動配線対１３ｓ（表面側ループアンテナＬＡｓ）によって構成される表面側ループアンテナ面積ＬＳｓと、裏面側差動配線対１３ｂ（裏面側ループアンテナＬＡｂ）によって構成される裏面側ループアンテナ面積ＬＳｂとは、等しくしてある。
【００７６】
したがって、表面側ループアンテナＬＡｓに起因する磁界ノイズと、裏面側ループアンテナＬＡｂに起因する磁界ノイズとは、逆方向で大きさを等しくすることが可能となるので、表面側差動配線対１３ｓおよび裏面側差動配線対１３ｂによる磁界ノイズを確実に抑制することができる。
【００７７】
＜実施の形態３＞
図３に基づいて、本実施の形態に係るプリント基板について説明する。なお、基本的な構成は、実施の形態１、実施の形態２に記載したプリント基板１の場合と同様であるので、主に異なる事項について説明する。
【００７８】
図３は、本発明の実施の形態３に係るプリント基板を説明する説明図であり、（Ａ）は表面側を見た状態を示す平面図、（Ｂ）は表面側から裏面側を透視的に見た状態を示す平面図である。
【００７９】
実施の形態１、２では、表面１０ｓに表面側差動伝送ドライバ回路２１ｓｄ、表面側差動伝送レシーバ回路２１ｓｒを備え、裏面１０ｂに裏面側差動伝送ドライバ回路２１ｂｄ、裏面側差動伝送レシーバ回路２１ｂｒを備えている。
【００８０】
これに対し本実施の形態では、表面１０ｓに表面側差動伝送ドライバ回路２１ｓｄを備え、裏面１０ｂに裏面側差動伝送レシーバ回路２１ｂｒを備えている。つまり、表面側差動伝送レシーバ回路２１ｓｒ、裏面側差動伝送ドライバ回路２１ｂｄが除去され、代わりに、表面側第１配線１１ｓに対応させて第１スルーホール３１が配置され、表面側第２配線１２ｓに対応させて第２スルーホール３２が配置されている。
【００８１】
表面側第１配線１１ｓと裏面側第１配線１１ｂは、第１スルーホール３１によって相互に接続されている。また、表面側第２配線１２ｓと裏面側第２配線１２ｂは、第２スルーホール３２によって相互に接続されている。したがって、第１信号ＳＧ１と第２信号ＳＧ２は、同一の信号（同一の大きさ）で逆方向に伝送され、第１反転信号ＲＳＧ１と第２反転信号ＲＳＧ２は、同一の信号（同一の大きさ）で逆方向に伝送される。
【００８２】
つまり、表面側第１配線１１ｓは、絶縁体層１０に形成された第１スルーホール３１を介して裏面側第１配線１１ｂに接続され、表面側第２配線１２ｓは、絶縁体層１０に形成された第２スルーホール３２を介して裏面側第２配線１２ｂに接続されている。
【００８３】
したがって、第１スルーホール３１を介して接続された表面側第１配線１１ｓおよび裏面側第１配線１１ｂによって第１信号ＳＧ１および第２信号ＳＧ２を伝送し、第２スルーホール３２を介して接続された表面側第２配線１２ｓおよび裏面側第２配線１２ｂによって第１反転信号ＲＳＧ１および第２反転信号ＲＳＧ２を伝送することから、表面側第１配線１１ｓおよび表面側第２配線１２ｓによって表面側差動配線対１３ｓ（表面側ループアンテナＬＡｓ）を構成し、裏面側第１配線１１ｂおよび裏面側第２配線１２ｂによって裏面側差動配線対１３ｂ（裏面側ループアンテナＬＡｂ）を構成する。
【００８４】
つまり、表面側差動配線対１３ｓによって構成される表面側ループアンテナＬＡｓに起因する磁界ノイズと、裏面側差動配線対１３ｂによって構成される裏面側ループアンテナＬＡｂに起因する磁界ノイズとは、相互に逆方向を向かせることが可能となるので、表面側差動配線対１３ｓおよび裏面側差動配線対１３ｂによる磁界ノイズを抑制し、磁界ノイズによる近接部品への影響を抑制することができる。
【００８５】
具体的には、表面側第１配線１１ｓで表面第１出力端子１１ｓｄから第１スルーホール３１へ第１信号ＳＧ１が流れ、表面側第２配線１２ｓで表面第２出力端子１２ｓｄから第２スルーホール３２へ第１反転信号ＲＳＧ１が流れた場合、表面第１出力端子１１ｓｄ→表面側第１配線１１ｓ→第１スルーホール３１→第２スルーホール３２→表面側第２配線１２ｓ→表面第２出力端子１２ｓｄの経路で表面側差動配線対１３ｓによる表面側ループアンテナＬＡｓが構成され、磁界ノイズが生じる。
【００８６】
また、裏面側第１配線１１ｂで第２スルーホール３１から裏面第１入力端子１１ｂｒへ第２信号ＳＧ２が流れ、裏面側第２配線１２ｂで第２スルーホール３２から裏面第２入力端子１２ｂｒへ第２反転信号ＲＳＧ２が流れた場合、第１スルーホール３１→裏面側第１配線１１ｂ→裏面第１入力端子１１ｂｒ→裏面第２入力端子１２ｂｒ→裏面側第２配線１２ｂ→第２スルーホール３２の経路で裏面側差動配線対１３ｂによる裏面側ループアンテナＬＡｂが構成され、磁界ノイズが生じる。
【００８７】
しかし、本実施の形態では、表面側差動配線対１３ｓに流れる電流である第１信号ＳＧ１（例えば、正信号（プラス信号））、第１反転信号ＲＳＧ１（例えば、正信号の反転信号（マイナス信号））に対して、裏面側差動配線対１３ｂに流れる電流である第２信号ＳＧ２、第２反転信号ＲＳＧ２は、それぞれ第１信号ＳＧ１、第１反転信号ＲＳＧ１に対して同じ大きさで逆方向に流れる。
【００８８】
つまり、第２信号ＳＧ２は、例えば、第１信号ＳＧ１と逆方向に流れる正信号、第２反転信号ＲＳＧ２は、例えば、第１反転信号ＲＳＧ１と逆方向に流れる反転信号（負信号）としてある。
【００８９】
したがって、表面側ループアンテナＬＡｓに起因して表面１０ｓで生じる磁界ノイズと、裏面側ループアンテナＬＡｂに起因して裏面１０ｂで生じる磁界ノイズとは、逆向きになることから、相互に打ち消しあうこととなる。
【００９０】
上述したとおり、プリント基板１は、表面側第１配線１１ｓの端子である表面第１出力端子１１ｓｄに接続されて表面側第１配線１１ｓへ第１信号ＳＧ１を出力し、表面側第２配線１２ｓの端子である表面第２出力端子１２ｓｄに接続されて表面側第２配線１２ｓへ第１反転信号ＲＳＧ１を出力する表面側差動伝送ドライバ回路２１ｓｄと、裏面側第１配線１１ｂの端子である裏面第１入力端子１１ｂｒに接続されて裏面側第１配線１１ｂから第１信号ＳＧ１と逆方向の第２信号ＳＧ２を入力し、裏面側第２配線１２ｂの端子である裏面第２入力端子１２ｂｒに接続されて裏面側第２配線１２ｂから第１反転信号ＲＳＧ１と逆方向の第２反転信号ＲＳＧ２を入力する裏面側差動伝送レシーバ回路２１ｂｒとを備える。
【００９１】
したがって、表面側差動伝送ドライバ回路２１ｓｄおよび裏面側差動伝送レシーバ回路２１ｂｒの２つの回路を適用して、表面側差動配線対１３ｓおよび裏面側差動配線対１３ｂによって伝送される第１信号ＳＧ１、第１反転信号ＲＳＧ１、第１信号ＳＧ１と同じ大きさで逆方向に流れる第２信号ＳＧ２、第１反転信号ＲＳＧ１と同じ大きさで逆方向に流れる第２反転信号ＲＳＧ２を確実に出力／入力することから、表面側差動配線対１３ｓおよび裏面側差動配線対１３ｂを容易かつ高精度に機能させることができるので、磁界ノイズによる近接部品への影響を抑制したプリント基板１とすることができる。
【００９２】
＜実施の形態４＞
図４ないし図６に基づいて、本実施の形態に係るプリント基板について説明する。なお、基本的な構成は、実施の形態１ないし実施の形態３に記載したプリント基板１の場合と同様であるので、主に異なる事項について説明する。本実施の形態は、本発明の効果を確認するものであり、例えば実施の形態３に係るプリント基板１の実施例を実施の形態４として具体的な効果を確認してある。なお、実施の形態１、実施の形態２に対しても同様な効果を得られる。
【００９３】
図４は、本発明の実施の形態４に係るプリント基板を説明する説明図であり、（Ａ）は表面側を見た状態を示す平面図、（Ｂ）は表面側から裏面側を透視的に見た状態を示す平面図、（Ｃ）は（Ａ）（Ｂ）の矢符Ｃ−Ｃでの断面の端面を示す端面図である。
【００９４】
実施の形態１ないし実施の形態３では、表面側第１配線１１ｓ、表面側第２配線１２ｓ、裏面側第１配線１１ｂ、裏面側第２配線１２ｂを簡略化して示したが、本実施の形態では、具体的なパターンとして示す。
【００９５】
つまり、表面１０ｓでは、表面側第１配線１１ｓで表面第１出力端子１１ｓｄから第１スルーホール３１へ第１信号ＳＧ１が流れ、表面側第２配線１２ｓで表面第２出力端子１２ｓｄから第２スルーホール３２へ第１反転信号ＲＳＧ１が流れ、表面第１出力端子１１ｓｄ→表面側第１配線１１ｓ→第１スルーホール３１→第２スルーホール３２→表面側第２配線１２ｓ→表面第２出力端子１２ｓｄの経路で表面側差動配線対１３ｓ（表面側ループアンテナＬＡｓ）が構成される。
【００９６】
また、裏面１０ｂでは、裏面側第１配線１１ｂで第２スルーホール３１から裏面第１入力端子１１ｂｒへ第２信号ＳＧ２が流れ、裏面側第２配線１２ｂで第２スルーホール３２から裏面第２入力端子１２ｂｒへ第２反転信号ＲＳＧ２が流れ、第１スルーホール３１→裏面側第１配線１１ｂ→裏面第１入力端子１１ｂｒ→裏面第２入力端子１２ｂｒ→裏面側第２配線１２ｂ→第２スルーホール３２の経路で裏面側差動配線対１３ｂ（裏面側ループアンテナＬＡｂ）が構成される。
【００９７】
なお、表面側第１配線１１ｓおよび表面側第２配線１２ｓを挟むように表面側第１配線１１ｓおよび表面側第２配線１２ｓの両側には表面接地配線１６ｓが形成（配置）されている。また、裏面側第１配線１１ｂおよび裏面側第２配線１２ｂを挟むように裏面側第１配線１１ｂおよび裏面側第２配線１２ｂの両側には裏面接地配線１６ｂが形成（配置）されている。なお、表面接地配線１６ｓと裏面接地配線１６ｂとは、相互に対向させて配置されている。
【００９８】
また、表面接地配線１６ｓおよび裏面接地配線１６ｂを配置することによって、表面側ループアンテナＬＡｓおよび裏面側ループアンテナＬＡｂ以外からの影響を除外することが可能となり、高精度に効果の測定評価を行うことができる。
【００９９】
図５は、本発明の効果を比較する対象としての従来例に係るプリント基板を説明する説明図であり、（Ａ）は表面側を見た状態を示す平面図、（Ｂ）は表面側から裏面側を透視的に見た状態を示す平面図、（Ｃ）は（Ａ）（Ｂ）の矢符Ｃ−Ｃでの断面の端面を示す端面図である。
【０１００】
従来のプリント基板１０１の表面１１０ｓでは、表面側第１配線１１１ｓで表面第１出力端子１１１ｓｄから表面第１入力端子１１１ｓｒへ第１信号ＳＧ１が流れ、表面側第２配線１１２ｓで表面第２出力端子１１２ｓｄから表面第２入力端子１１２ｓｒへ第１反転信号ＲＳＧ１が流れ、表面第１出力端子１１１ｓｄ→表面側第１配線１１１ｓ→表面第１入力端子１１１ｓｒ→表面第２入力端子１１２ｓｒ→表面側第２配線１１２ｓ→表面第２出力端子１１２ｓｄの経路で表面側差動配線対１１３ｓ（表面側ループアンテナＬＡｓ）が構成される。
【０１０１】
また、裏面１１０ｂには、表面側差動配線対１１３ｓ（表面側ループアンテナＬＡｓ）に対応させた配線対（ループアンテナ）は形成されていない。
【０１０２】
なお、表面側第１配線１１１ｓおよび表面側第２配線１１２ｓを挟むように表面側第１配線１１１ｓおよび表面側第２配線１１２ｓの両側には表面接地配線１１６ｓが形成（配置）されている。表面接地配線１１６ｓに対向させて裏面接地配線１１６ｂが形成されている。表面接地配線１１６ｓおよび裏面接地配線１１６ｂを配置することによって、表面側ループアンテナＬＡｓ以外からの影響を除外することが可能となり、高精度に測定評価を行って、比較することができる。
【０１０３】
図６は、図４に示した実施の形態４に係るプリント基板と、図５に示した従来例に係るプリント基板とでの磁界ノイズの発生状態を示す特性グラフである。
【０１０４】
横軸は周波数（ＧＨｚ）であり、縦軸は磁界強度（Ａ／ｍ）である。なお、磁界強度は、プリント基板１（プリント基板１０１）の表面１０ｓ（表面１１０ｓ）から１０ｍｍの位置で、ＦＤＴＤ法（Ｆｉｎｉｔｅ  Ｄｉｆｆｅｒｅｎｃｅ  Ｔｉｍｅ  Ｄｏｍａｉｎ  Ｍｅｔｈｏｄ）によって測定した。
【０１０５】
特性線ＣＣ１は、本実施の形態１に係るプリント基板１の特性であり、特性線ＣＣ２は、従来例に係るプリント基板１０１の特性である。
【０１０６】
なお、本実施の形態１に係るプリント基板１では、表面第１出力端子１１ｓｄと表面第２出力端子１２ｓｄに差動信号（第１信号ＳＧ１、第１反転信号ＲＳＧ１）を供給（出力）し、裏面第１入力端子１１ｂｒと裏面第２入力端子１２ｂｒとの間に１００オームの抵抗を接続して動作状態とした。
【０１０７】
また、従来例に係るプリント基板１０１では、表面第１出力端子１１１ｓｄと表面第２出力端子１１２ｓｄに差動信号（第１信号ＳＧ１、第１反転信号ＲＳＧ１）を供給（出力）し、表面第１入力端子１１１ｓｒと表面第２入力端子１１２ｓｒとの間に１００オームの抵抗を接続して動作状態とした。
【０１０８】
特性線ＣＣ１と特性線ＣＣ２とを比較すると、周波数１ＧＨｚ以下では、特性線ＣＣ１での磁界強度は、特性線ＣＣ２での磁界強度の３割程度以下であり、本実施の形態に係るプリント基板１では、従来例に比較して、磁界ノイズを半分以下に確実に低減できることが分かる。
【０１０９】
実施の形態１ないし実施の形態４では、プリント基板１の表面１０ｓに表面側差動配線対１３ｓを配置し、裏面１０ｂに裏面側差動配線対１３ｂを配置した場合として説明したが、多層構成のプリント基板で内層に表面側差動配線対１３ｓ、裏面側差動配線対１３ｂを構成する場合にも適用することが可能である。
【０１１０】
つまり、表面側差動配線対１３ｓ（表面側ループアンテナＬＡｓ）および裏面側差動配線対１３ｂ（裏面側ループアンテナＬＡｂ）は、多層プリント基板の内層を構成する場合にも適用することが可能である。多層プリント基板の内層で異なる層に配置された差動配線対（例えば、表面側差動配線対１３ｓ、裏面側差動配線対１３ｂに対応させて内層の両面側に形成した差動配線対）で発生する磁界ノイズを相殺する構成とすることによって、作動配線対によって生じる磁界ノイズを低減することが可能となる。
【０１１１】
＜実施の形態５＞
図７に基づいて、本実施の形態に係るプリント基板について説明する。なお、基本的な構成は、実施の形態１ないし実施の形態４に記載したプリント基板１の場合と同様であるので符号を援用して主に異なる事項について説明する。
【０１１２】
図７は、本発明の実施の形態５に係るプリント基板を概念的に説明する説明図であり、（Ａ）は別のプリント基板を接続した表面側を見た状態を示す平面図、（Ｂ）は表面側から裏面側を透視的に見た状態を示す平面図である。
【０１１３】
本実施の形態に係るプリント基板１では、実施の形態１、実施の形態２でプリント基板１が備える表面側差動伝送ドライバ回路２１ｓｄ、裏面側差動伝送ドライバ回路２１ｂｄ、表面側差動伝送レシーバ回路２１ｓｒ、裏面側差動伝送レシーバ回路２１ｂｒの内の少なくとも一つは、接続部材５１を介して接続された別のプリント基板５に配置されている。
【０１１４】
例えば、図７に示した場合は、表面側差動伝送ドライバ回路２１ｓｄ、表面側差動伝送レシーバ回路２１ｓｒ、裏面側差動伝送ドライバ回路２１ｂｄ、裏面側差動伝送レシーバ回路２１ｂｒの内で、表面側差動伝送レシーバ回路２１ｓｒをプリント基板５に配置し、表面側第１配線１１ｓの表面第１入力端子１１ｓｒ、表面側第２配線１２ｓの表面第２入力端子１２ｓｒを表面側差動伝送レシーバ回路２１ｓｒに接続部材５１を介して接続してある。
【０１１５】
したがって、プリント基板１の表面１０ｓには、表面側ループアンテナＬＡｓが構成され、プリント基板１の裏面１０ｂには、裏面側ループアンテナＬＡｂが構成される。つまり、表面側ループアンテナＬＡｓと裏面側ループアンテナＬＡｂとでは、磁界ノイズが逆方向に生じることから、実施の形態１、実施の形態２と同様、相互に磁界ノイズを相殺することが可能となる。
【０１１６】
なお、接続部材５１は、表面第１入力端子１１ｓｒおよび表面第２入力端子１２ｓｒに接続されたコネクタ１０ｃ、コネクタ１０ｃとコネクタ５１ｃとを接続するフレキシブル接続基板５１ｗ、コネクタ５１ｃと表面側差動伝送レシーバ回路２１ｓｒとを接続する配線パターン５１ｐによって構成され、表面側差動伝送レシーバ回路２１ｓｒは、配線パターン５１ｐに接続されている。
【０１１７】
つまり、コネクタ１０ｃは、プリント基板１に形成され、コネクタ５１ｃおよび配線パターン５１ｐは、プリント基板５（絶縁体層５０）に形成され、フレキシブル接続基板５１ｗは、コネクタ１０ｃ（プリント基板１）とコネクタ５１ｃ（プリント基板５）とを接続している。フレキシブル接続基板５１ｗは、コネクタ１０ｃとコネクタ５１ｃとを接続できるものであれば良く、例えば、ケーブル（シールドケーブル）などを適用することも可能である。
【０１１８】
なお、本実施の形態では、表面側差動伝送レシーバ回路２１ｓｒ以外の回路に対しても同様に構成して同様に作用させることが可能である。
【０１１９】
つまり、本実施の形態に係るプリント基板１では、実施の形態１および実施の形態２で説明した４つの回路（表面側差動伝送ドライバ回路２１ｓｄ、表面側差動伝送レシーバ回路２１ｓｒ、裏面側差動伝送ドライバ回路２１ｂｄ、裏面側差動伝送レシーバ回路２１ｂｒ）の内の少なくとも一つは、接続部材５１を介して接続された他のプリント基板５０に配置されている。
【０１２０】
したがって、本実施の形態に係るプリント基板１では、表面側差動伝送ドライバ回路２１ｓｄ、表面側差動伝送レシーバ回路２１ｓｒ、裏面側差動伝送ドライバ回路２１ｂｄ、および裏面側差動伝送レシーバ回路２１ｂｒの４つの回路を配置したプリント基板１（実施の形態１および実施の形態２）の場合と同様の機能を発揮させることが可能となる。
【０１２１】
また、本実施の形態に係るプリント基板１は、実施の形態３、実施の形態４に対しても同様に適用することができる（不図示）。基本的な構成は、図７と同様であるので、以下、符号を援用して説明する。
【０１２２】
つまり、本実施の形態に係るプリント基板１では、実施の形態３、実施の形態４でプリント基板１が備える表面側差動伝送ドライバ回路２１ｓｄ、裏面側差動伝送レシーバ回路２１ｂｒの内の少なくとも一つは、接続部材５１を介して接続された別のプリント基板５に配置されている。
【０１２３】
したがって、本実施の形態に係るプリント基板１では、表面側差動伝送ドライバ回路２１ｓｄ、裏面側差動伝送レシーバ回路２１ｂｒの２つの回路を配置したプリント基板１（実施の形態３、実施の形態４）の場合と同様の機能を発揮させることが可能となる。
【０１２４】
＜実施の形態６＞
本実施の形態に係る電子機器（不図示）は、アンテナ部品と、該アンテナ部品に近接して配置されたプリント基板を備える電子機器であって、プリント基板は、実施の形態１ないし実施の形態５のいずれかに係るプリント基板１であることを特徴とする電子機器である。
【０１２５】
実施の形態１ないし実施の形態５に係るプリント基板１は、絶縁体層１０の両面に差動配線対（表面側差動配線対１３ｓ、裏面側差動配線対１３ｂ）を対向させて配置することにより、表面側差動配線対１３ｓが構成する表面側ループアンテナＬＡｓによって生じる磁界ノイズ、裏面側差動配線対１３ｂが構成する裏面側ループアンテナＬＡｂによって生じる磁界ノイズを相殺させる構成とすることによって、ループアンテナによる磁界ノイズを抑制することから、プリント基板１に近接して配置されたアンテナ部品への磁界ノイズの影響を低減することが可能となる。
【０１２６】
したがって、受信性能、発信性能の優れた電子機器とすることが可能となり、送受信機能の優れた通信信頼性の高い電子機器を提供することが可能となる。
【０１２７】
電子機器としては、アンテナ部品を搭載し、さらにカメラモジュールを搭載した携帯端末（ケイタイ）などがある。携帯端末では、特に高周波を扱い、実装密度を大きくしていることから、特に磁界ノイズによる送受信機能への影響が大きく、本実施の形態による効果は大きいものとなる。
【図面の簡単な説明】
【０１２８】
【図１】本発明の実施の形態１に係るプリント基板を説明する説明図であり、（Ａ）は表面側を見た状態を示す平面図、（Ｂ）は表面側から裏面側を透視的に見た状態を示す平面図、（Ｃ）は（Ａ）（Ｂ）の矢符Ｃ−Ｃでの断面の要部端面を拡大して示す拡大端面図である。
【図２】本発明の実施の形態２に係るプリント基板を説明する説明図であり、（Ａ）は表面側を見た状態を示す平面図、（Ｂ）は表面側から裏面側を透視的に見た状態を示す平面図、（Ｃ）は（Ａ）で示した表面側ループアンテナが構成する表面側ループアンテナ面積を概念的に示す平面図、（Ｄ）は（Ｂ）で示した裏面側ループアンテナが構成する裏面側ループアンテナ面積を概念的に示す平面図である。
【図３】本発明の実施の形態３に係るプリント基板を説明する説明図であり、（Ａ）は表面側を見た状態を示す平面図、（Ｂ）は表面側から裏面側を透視的に見た状態を示す平面図である。
【図４】本発明の実施の形態４に係るプリント基板を説明する説明図であり、（Ａ）は表面側を見た状態を示す平面図、（Ｂ）は表面側から裏面側を透視的に見た状態を示す平面図、（Ｃ）は（Ａ）（Ｂ）の矢符Ｃ−Ｃでの断面の端面を示す端面図である。
【図５】本発明の効果を比較する対象としての従来例に係るプリント基板を説明する説明図であり、（Ａ）は表面側を見た状態を示す平面図、（Ｂ）は表面側から裏面側を透視的に見た状態を示す平面図、（Ｃ）は（Ａ）（Ｂ）の矢符Ｃ−Ｃでの断面の端面を示す端面図である。
【図６】図４に示した実施の形態４に係るプリント基板と、図５に示した従来例に係るプリント基板とでの磁界ノイズの発生状態を示す特性グラフである。
【図７】本発明の実施の形態５に係るプリント基板を概念的に説明する説明図であり、（Ａ）は別のプリント基板を接続した表面側を見た状態を示す平面図、（Ｂ）は表面側から裏面側を透視的に見た状態を示す平面図である。
【図８】従来例１に係るプリント基板での差動配線対を説明する説明図であり、（Ａ）は差動配線対を見た状態を示す平面図、（Ｂ）は差動配線対によるループアンテナの発生状態を説明する平面図である。
【図９】従来例２に係るプリント基板での差動配線対を見た状態を示す平面図である。
【符号の説明】
【０１２９】
１  プリント基板
５  プリント基板
１０  絶縁体層
１０ｂ  裏面
１０ｓ  表面
１１ｂ  裏面側第１配線
１１ｂｄ  裏面第１出力端子
１１ｂｒ  裏面第１入力端子
１１ｓ  表面側第１配線
１１ｓｄ  表面第１出力端子
１１ｓｒ  表面第１入力端子
１２ｂ  裏面側第２配線
１２ｂｄ  裏面第２出力端子
１２ｂｒ  裏面第２入力端子
１２ｓ  表面側第２配線
１２ｓｄ  表面第２出力端子
１２ｓｒ  表面第２入力端子
１３ｂ  裏面側差動配線対
１３ｓ  表面側差動配線対
１６ｂ  裏面接地配線
１６ｓ  表面接地配線
２１ｂｄ  裏面側差動伝送ドライバ回路
２１ｂｒ  裏面側差動伝送レシーバ回路
２１ｓｄ  表面側差動伝送ドライバ回路
２１ｓｒ  表面側差動伝送レシーバ回路
３１  第１スルーホール
３２  第２スルーホール
５０  絶縁体層
５１  接続部材
ＬＡｂ  裏面側ループアンテナ
ＬＡｓ  表面側ループアンテナ
ＬＳｂ  裏面側ループアンテナ面積
ＬＳｓ  表面側ループアンテナ面積
ＲＳＧ１  第１反転信号
ＲＳＧ２  第２反転信号
ＳＧ１  第１信号
ＳＧ２  第２信号
【図１】
2010098240.tif 000003
【図２】
2010098240.tif 000004
【図３】
2010098240.tif 000005
【図４】
2010098240.tif 000006
【図５】
2010098240.tif 000007
【図６】
2010098240.tif 000008
【図７】
2010098240.tif 000009
【図８】
2010098240.tif 000010
【図９】
2010098240.tif 000011